(57)【要約】【課題】折りたたみ型携帯電話機のように変形する携帯電話機において、変形前、変形後のどちらの形態においても、表示画面とおよそ同一方向に向けて音を出力することのできる携帯電話機を提供することを目的とする。【解決手段】第一筐体とスピーカを有する第二筐体とが相対移動自在に連結されてなる携帯電話機において、前記第一筐体には、前記スピーカから出力された音の通り道となるようにダクトが設けられており、変形前、変形後のいずれか、又は両方の形態において、当該ダクトを通して音が自機の外部に出力される構造とする。【選択図】図３
2005328284.tif 000002
【特許請求の範囲】
【請求項１】
第一筐体と第二筐体とが相対移動自在に連結されてなる携帯電話機であって、
前記第一筐体には、当該第一筐体を貫通するようにダクトが形成され、前記第二筐体にはスピーカが設けられ、前記二つの筐体についての所定の相対的位置関係において、前記ダクトの一の開口部と、前記スピーカから発せられる音の、第二筐体の外部への出力口とが、対向かつ近接する
ことを特徴とする携帯電話機。
【請求項２】
前記携帯電話機は、開閉可能な折りたたみ型携帯電話機であり、前記第二筐体は前記第一筐体に軸支されており、
前記所定の相対的位置関係は、前記第一筐体の一面と前記第二筐体の一面とが対向するように、自機が折りたたまれ、前記第一筐体と前記第二筐体とが重なり合う状態であり、
当該位置関係において、前記スピーカから発せられた音は、前記ダクトを通して自機の外部に出力される
ことを特徴とする請求項１記載の携帯電話機。
【請求項３】
前記携帯電話機は、スライド型携帯電話機であり、
前記所定の相対的位置関係を二つ有し、第一の位置関係は、前記第一筐体の一面と前記第二筐体の一面とが対向し、両筐体がちょうど重なり合う状態であり、第二の位置関係は、前記第一の位置関係から、前記第一筐体をスライドさせ前記第二筐体からずらした状態であり、
前記ダクトは開口部を２つ以上有し、
前記スピーカから発せられる音の、前記第二筐体の外部への出力口は、前記第一の位置関係と前記第二の位置関係とで、前記ダクトの互いに異なる開口部と対向する
ことを特徴とする請求項１記載の携帯電話機。
【請求項４】
前記第二筐体にも音の通り道となるダクトが設けられ、
前記所定の相対的位置関係において、当該第二筐体のダクトの一方の開口部は前記スピーカに接し、もう一方の開口部は、前記第一筐体のダクトの一方の開口部と対向かつ近接している
ことを特徴とする請求項１〜３記載の携帯電話機。
【請求項５】
前記スピーカから出力された音が前記第一筐体のダクトに通されるまで音が漏れることの無いように、当該第一筐体のダクトの第二筐体に接触する側の開口部の周辺部分と前記スピーカから発せられる音の第二筐体の外部への出力口の周辺部分とには、環状の弾性部品が形成されている
ことを特徴とする請求項１〜４記載の携帯電話機。
【請求項６】
前記携帯電話機は、前記第一筐体に表示画面を有し、
前記スピーカから出力される音は、前記表示画面とほぼ同方向に向けて出力される
ことを特徴とする請求項１〜５記載の携帯電話機。
【請求項７】
前記第二筐体にはスピーカが二つ備えられており、当該二つのスピーカから発せられる音の出力口は、前記表示画面の左右両側に設けられている
ことを特徴とする請求項６記載の携帯電話機。
【発明の詳細な説明】
【技術分野】
【０００１】
本発明は、携帯電話機のスピーカに関する。
【背景技術】
【０００２】
近年の携帯電話機は、メロディプレイヤーやゲーム機として娯楽性が増しており、それに伴い、よりよい音質で音を出すことが求められている。そのためにスピーカの設置位置やスピーカそのものの工夫がなされている。
特許文献１の携帯電話機では、従来のスピーカを使いながら音質を改善する工夫がなされている。
【特許文献１】特開２００１−２５８０８５号公報
【発明の開示】
【発明が解決しようとする課題】
【０００３】
ところで、ゲームをしているときなどには、ユーザ方向に向けて音が出るように携帯電話機にスピーカを配置して、ユーザの感じる臨場感を高めることが望まれる。
また、最近ではコンパクトさを重視して、折りたたみ型携帯電話機やスライド型携帯電話機などの大小２つの状態に変形可能な携帯電話機が開発されているが、これらの携帯電話機では変形するために常にユーザ方向に音を出すことが難しい。
【０００４】
例えば、折りたたみ型携帯電話機では、折りたたんだときに内側にくるメインモニターの両側やテンキーの両側に音が出るようにスピーカを配置すると、開いたときはスピーカはユーザ方向を向いているので音は明瞭に聞こえるが、折りたたんだ状態にするとスピーカは筐体で覆われてしまうために音がくぐもってしまう。
折りたたみ型携帯電話機の場合、その内側と外側両方に向けてスピーカを二つ以上設置することも考えられるが、コスト面や重量面及び設置スペースの限られている携帯電話機では好ましくない。
【０００５】
そこで、本発明においては、折りたたみ型携帯電話機のように変形する携帯電話機において、いずれの状態においても、音が聞きやすい携帯電話機を提供することを目的とする。
【課題を解決するための手段】
【０００６】
上記課題を解決するため、本発明に係る携帯電話機は、第一筐体と第二筐体とが相対移動自在に連結されてなる携帯電話機であって、前記第一筐体には、当該第一筐体を貫通するようにダクトが形成され、前記第二筐体にはスピーカが設けられ、前記二つの筐体についての所定の相対的位置関係において、前記ダクトの一の開口部と、前記スピーカから発せられる音の、第二筐体の外部への出力口とが、対向かつ近接することを特徴としている。
【０００７】
ここでダクトとは管状のもので、スピーカから発せられた音の通り道となる。また、ここで近接するとは、ダクト開口部に音が移るときに音が外になるべく漏れない程度に接する事を言い、例えば、１ｍｍの範囲内で接し、その範囲内でダクト開口部とスピーカの出力口が対向するものとする。
【発明の効果】
【０００８】
前記第一筐体と前記第二筐体は重なり合うことでスピーカの開口部が塞がれるかもしれないが、その場合に、上述のような構成によって、第二筐体のスピーカから出力された音を、第一筐体内部にあるダクトを通して自機の外部に音を出すことができるので、音がくぐもることなく、明瞭に音声を聞くことができる。
また、前記携帯電話機は、開閉可能な折りたたみ型携帯電話機であり、前記第二筐体は前記第一筐体に軸支されており、前記所定の相対的位置関係は、前記第一筐体の一面と前記第二筐体の一面とが対向するように、自機が折りたたまれ、前記第一筐体と前記第二筐体とが重なり合う状態であり、当該位置関係において、前記スピーカから発せられた音は、前記ダクトを通して自機の外部に出力されることとしてもよい。
【０００９】
これにより、折りたたみ型携帯電話機において、スピーカの出力口が第一筐体と第二筐体が重なり合うように折りたたんだときに内側になる面にあっても、ダクトを通して自機の外部に明瞭に音を出すことができる。
また、前記携帯電話機は、スライド型携帯電話機であり、前記所定の相対的位置関係を二つ有し、第一の位置関係は、前記第一筐体の一面と前記第二筐体の一面とが対向し、両筐体がちょうど重なり合う状態であり、第二の位置関係は、前記第一の位置関係から、前記第一筐体をスライドさせ前記第二筐体からずらした状態であり、前記ダクトは開口部を２つ以上有し、前記スピーカから発せられる音の、前記第二筐体の外部への出力口は、前記第一の位置関係と前記第二の位置関係とで、前記ダクトの互いに異なる開口部と対向することとしてもよい。
【００１０】
これにより、スライド型携帯電話機において第一筐体と第二筐体をスライドさせずらした状態、ずらしていない状態の両方においてダクトを通して自機の外部に音を出すことができる。
また、前記第二筐体にも音の通り道となるダクトが設けられ、前記所定の相対的位置関係において、当該第二筐体のダクトの一方の開口部は前記スピーカに接し、もう一方の開口部は、前記第一筐体のダクトの一方の開口部と対向かつ近接していることとしてもよい。
【００１１】
これにより、スピーカをある筐体内の任意の位置に配置し、任意の場所から音をその筐体の外部にダクトを使って誘導することができ、筐体が重なり合う形態ではもう一方の筐体側のダクトを通して音をだすことができる。
また、前記スピーカから出力された音が前記第一筐体のダクトに通されるまで音が漏れることの無いように、当該第一筐体のダクトの第二筐体に接触する側の開口部の周辺部分と前記スピーカから発せられる音の第二筐体の外部への出力口の周辺部分とには、環状の弾性部品が形成されていることとしてもよい。
【００１２】
これにより、筐体間において第二筐体から第一筐体のダクトに音が移るときの音漏れを防ぐことができる。
また、前記携帯電話機は、前記第一筐体に表示画面を有し、前記スピーカから出力される音は、前記表示画面とほぼ同方向に向けて出力されることとしてもよい。
これにより、ゲームをやっているときなどにおいて、携帯電話機の背後、即ちユーザと逆方向にスピーカを配して音を出すより、表示画面を見ているユーザ方向に向けて音を飛ばすことができるので、音声をより明瞭に聞き取ることができる。
【００１３】
また、前記第二筐体にはスピーカが二つ備えられており、当該二つのスピーカから発せられる音の出力口は、前記表示画面の左右両側に設けられていることとしてもよい。
これにより、音に広がりを持たせ、特にゲームなど映像と音声が一体となって、表示出力されるコンテンツを使用する際において、より一層ステレオ感を高めることができる。
【発明を実施するための最良の形態】
【００１４】
以下、本発明に係るダクトスピーカ付き携帯電話の実施の形態について図面を用いて説明する。
＜実施の形態１＞
実施の形態１に係る折りたたみ型携帯電話機の構成について図１〜３を用いて説明する。図１は、携帯電話機１００を開いた状態における斜視図であり、図２は、携帯電話機１００を閉じた状態にしたときの平面図である。図３は、図２におけるＡＡ線での携帯電話機１００の断面図であり、図３（ａ）は、携帯電話機１００を閉じた状態、図３（ｂ）は開いた状態を示している。なお、図３の断面図には主要となる機構の部分だけを示しておりアンテナ１７０の内部の機構などは示していない。
【００１５】
携帯電話機１００は、第一筐体１１０に第二筐体１２０がヒンジ部３００で軸支されてなる折りたたみ型携帯電話機であって、第一筐体１１０及び第二筐体１２０は、基本的に樹脂からなる。
第一筐体１１０は、折りたたんだ場合に内側となる面にメインモニター１５０を、折りたたんだ場合に外側となる面にサブモニター２４０を配している。また、その内部には、音の通り道となるダクト２２１、２２２が図のように筐体を貫通するように穿設されている。ここでダクトとは管状に構成されるものであり、筐体外部への外気に接触する部分にのみ開口部を有し、周囲の筐体に固定されている。ダクトは樹脂によって構成される。ダクト２２１、２２２の両端の開口部１１１、２３１、１１２、２３２にはそれぞれメッシュ状の薄い金属部品が設けられている。これによりダクト内部へのゴミの侵入を防ぎつつ音を通すことができる。また、ダクト開口部２３１、２３２はサブモニター２４０の両側に配されている。メインモニター１５０、及びサブモニター２４０は、ＬＣＤ（Liquid Crystal Display）からなる。
【００１６】
第二筐体１２０は、操作キー群１６０やアンテナ１７０を備え、その内部にある基板３０１上にスピーカ２０１を備えている。図のように第二筐体１２０は、第一筐体１１０とヒンジ３００で軸支できるように、接合部分が隆起した形になっている。その隆起部分の内部にはスピーカ２０１、２０２から出力された音を第二筐体１２０の外部に出すために、ダクト２１１、２１２が穿設されている。ダクト２１１、２１２の外部への開口端１２１、１２２にも、メッシュ状の薄い金属部品が設けられている。
【００１７】
図３（ａ）のように携帯電話機１００が閉じられた状態においてはスピーカ２０１から出力された音はダクト２１１、２２１を順に通り、自機の外部に出力される。スピーカ２０２から出力された音はダクト２１２、２２２を順に通り、自機の外部に出力される。第一筐体１１０のダクトと第二筐体１２０のダクトとの接触部分、つまり、開口部１１１、１１２、１２１、１２２の周辺部分にはそれぞれ、環状の弾性部品（例えばゴム）１３１、１３２、１４１、１４２が貼接されている。弾性部品１３１と１４１、及び１３２と１４２が接触することで第一筐体と第二筐体間の隙間を埋めることができるので、これにより音がダクト２１１から２２１、あるいは、ダクト２１２から２２２に移る際の音漏れを防止できる。
【００１８】
図３（ｂ）のように携帯電話機１００が開かれている場合には、スピーカ２０１から出力された音は、ダクト２１１のみを通って自機の外部に出力される。
図のようにダクトを通して音を出す構造にすると、何も無い空間で音を出すよりもスピーカに圧力がかけられることになり、多少スピーカの振動を抑えることができる。このことにより高音域の音割れを防止し、音色を丸くすることができる。また、ダクト長や形状を調節することにより、正規にスピーカから出力された音と、反対方向に出力されて筐体内部で反射した音との波長が一致するようにすると音を増強することができ、より明瞭に音が聞こえるようになる。ダクトの長さ、形状の調整には、ダクトの長さや形状の異なる実機相当のものを複数作成し、実際に音を鳴らすことで調整すると良い。
＜実施の形態２＞
実施の形態１では、折りたたみ型携帯電話機の場合について記述したが、実施の形態２においては、スライド型携帯電話機４００の場合について図４〜６を用いて説明する。図４は、携帯電話機４００の斜視図であり、図５は、携帯電話機４００をスライドさせ操作キーを見えるようにした状態における平面図である。図６は、図５におけるＢＢ線での携帯電話機４００の断面図であり、図６（ａ）は、携帯電話機１００を閉じて第一筐体４１０と第二筐体４２０がちょうど重なり合った状態である第一形態、図６（ｂ）はスライドさせて第一筐体と第二筐体をずらした状態である第二形態を示している。図６（ｂ）の状態が図５と一致する。図６の断面図には主要となる機構の部分だけを示しておりアンテナ４５０の内部の機構などは示していない。
【００１９】
第一筐体４１０は、ＬＣＤであるモニター４４０を備え、その左右にダクトの開口部４１１、４１２が設けられており、当該開口部４１１、４１２には、それぞれメッシュ状の薄い金属部品が設けられている。また、そのほかにはカメラ４３０などを備えている。その内部には図のようにダクト５１１、５２１が設けられており、それぞれ、第二筐体４２０のスピーカ５０１、５０２から出力される音の通り道となる。
【００２０】
第二筐体４２０は操作キー群４２３の他、スライド用溝４２１、４２２が備えられており、図示していないが第一筐体４１０にある爪とかみ合ってスライドすることができる。第二筐体４２０の内部にある基板６００上にはスピーカ５０１、５０２が設けられている。
第一形態においては、図６（ａ）のように、スピーカ５０１とダクト５１１の一つの開口部６１１とが対向し、第二形態においては、図６（ｂ）のように、スピーカ５０１とダクト５１１の一つの開口部６２１とが対向する。図示していないが、スピーカ５０２側も同様の構造になっている。図６（ａ）の場合においては、スピーカ５０１から出力された音は、開口部６１１を通り、ダクト５１１を通って、開口部４１１から自機外部に出力される。図６（ｂ）の場合においては、スピーカ５０１から出力された音は、開口部６２１を通り、ダクト５１１を通って、主として開口部４１１から自機外部に出力される。開口部６１１、６２１にもメッシュ状の薄い金属部品が設けられている。
＜補足＞
なお、上記実施の形態では、ダクトの形状を図のようにしたけれども、その形状はこれに限定されるものではない。例えば、ダクトを真っ直ぐな柱状にしても良いし、第一筐体と第二筐体から対向する面とは平行でない他の面に向けて貫通するようにしても良いし、あるいは、音の出力先が二つになるようにダクトを三叉にしたりしても良い。
【００２１】
また、上記実施の形態では、ダクトの開口部にメッシュ状の金属部品を設けたが、ゴミの侵入を防ぐというメリットは失われるが無くても良い。また、メッシュ状の金属部品としているがゴミの侵入を防ぎつつ、音を通すものなら何でも良く、例えば、メッシュ状の繊維であったり、筐体を構成する樹脂に細かな穴を開けた構造であっても良い。
また、上記実施の形態２においては、ダクトの開口部付近に弾性部品を配していないが、スライドの妨げにならないならば配置しても良い。
【産業上の利用可能性】
【００２２】
本発明に係る携帯電話機は、折りたたみ型携帯電話機のように変形する携帯電話機において、常に画面の方向と同方向に向けて音を出力することのできる携帯電話機として活用することができる。
【図面の簡単な説明】
【００２３】
【図１】実施の形態１に係る折りたたみ型携帯電話機１００の斜視図である。
【図２】実施の形態１に係る折りたたみ型携帯電話機１００の平面図である。
【図３】実施の形態１に係る折りたたみ型携帯電話機１００の断面図である。
【図４】実施の形態２に係るスライド型携帯電話機４００の斜視図である。
【図５】実施の形態２に係るスライド型携帯電話機４００の平面図である。
【図６】実施の形態２に係るスライド型携帯電話機４００の断面図である。
【符号の説明】
【００２４】
１００    折りたたみ型携帯電話機
１１０、４１０    第一筐体
１１１、１１２、１２１、１２２、４１１、４１２、６１１、６２１    ダクト開口部（メッシュ状金属部品）
１２０、４２０    第二筐体
１３１、１３２、１４１、１４２    環状弾性部品
１５０    メインモニター
１６０    操作キー
１７０、４５０    アンテナ
２０１、２０２、５０１、５０２    スピーカ
２１１、２１２、５１１、５２１    ダクト
２４０    サブモニター
３００    ヒンジ
３０１、６００    基板
４００    スライド型携帯電話機
４２１、４２２    スライド用溝
４３０    カメラ
４４０    モニター
【図１】
2005328284.tif 000003
【図２】
2005328284.tif 000004
【図３】
2005328284.tif 000005
【図４】
2005328284.tif 000006
【図５】
2005328284.tif 000007
【図６】
2005328284.tif 000008